(57)【要約】【課題】強度を落とすことなく操作棒の軽量化を図り、さらに、雨天時でも作業者が安全で作業がしやすく、感電の心配もない天候型操作棒を提供する。【解決手段】  架空電線の工事作業を行う全天候型操作棒であって、基体となる固定パイプ１と、この固定パイプ１に回転自在に貫挿された操作パイプ２と、この操作パイプ２の下端部に挿入され、一体として回転するように固定されたシャフト３と、このシャフト３に固定され前記シャフト３を回転させるハンドル４と、固定パイプ１と操作パイプ２との摺動部に配設され、操作パイプ１の上端部を支持する上部エンドカバーと、操作パイプの下端部を支持する下部エンドカバー８と、上部エンドカバー５と操作パイプ２とを一体として回転するように連結する連結部材と、上部エンドカバー５の上部に固定され、工具ユニットに回転力を伝達するジョイント６とを備えた全天候型操作棒１０である。【選択図】図１
2008253059.tif 000002
【特許請求の範囲】
【請求項１】
着脱自在に連結される工具ユニットに対して回転力を伝達し、架空電線の工事作業を行う全天候型操作棒であって、
基体となる固定パイプと、
この固定パイプに回転自在に貫挿された操作パイプと、
この操作パイプの下端部に挿入され、一体として回転するように固定されたシャフトと、
このシャフトに固定され前記シャフトを回転させるハンドルと、
前記固定パイプと前記操作パイプとの摺動部に配設され、前記操作パイプの上端部を支持する上部エンドカバーと、前記操作パイプの下端部を支持する下部エンドカバーと、
前記上部エンドカバーと前記操作パイプとを一体として回転するように連結する連結部材と、
前記上部エンドカバーの上部に固定され、前記工具ユニットに回転力を伝達するジョイントと、
を備えたことを特徴とする全天候型操作棒。
【請求項２】
前記上部エンドカバーは、有底の円筒形状に形成されたスリーブ部と、このスリーブ部の上部に形成されたボス部と、を有し、前記スリーブ部を前記操作パイプの上端外周面を覆うように装着して前記摺動部を構成し、
前記連結部材は、前記操作パイプの上端開口部に内挿された詰栓と、この詰栓を貫通し前記操作パイプと前記スリーブ部とを結合する第２固定ピンと、
を備えたことを特徴とする請求項１に記載の全天候型操作棒。
【請求項３】
前記上部および下部エンドカバーにおける前記固定パイプまたは前記操作パイプとの摺動部には、浸水を防止するオイルシールを設けたこと、
を特徴とする請求項１または請求項２に記載の全天候型操作棒。
【請求項４】
前記操作パイプの上端部および下端部の開口部には、浸水を防止する密封部材が配設されていること、
を特徴とする請求項１から請求項３のいずれか１項に記載の全天候型操作棒。
【請求項５】
前記固定パイプおよび前記操作パイプは、絶縁部材で構成したことを特徴とする請求項１から請求項４のいずれか１項に記載の全天候型操作棒。
【発明の詳細な説明】
【技術分野】
【０００１】
本発明は、架空電線の配線工事等の間接活線作業に使用され、雨天でも安全、確実に作業ができる全天候型操作棒に関する。
【背景技術】
【０００２】
架空電線の配線工事等を間接活線作業で行う場合には、多くの作業で間接操作棒が使用されている。間接操作棒を使用して行われる作業は多種多様であり、例えば、架空電線を掴んで、柱上に設けられた金具のボルトを締付ける作業もその一例である。この場合、ボルトの締付け作業を行うためにボックススパナ操作棒が使用される。
図６は、従来の間接操作棒の使用状況を示す説明図である。図６に示すように、架空電線の配線工事に使用される間接操作棒が知られている（特許文献１参照）。この間接操作棒を使用して行われる作業は、作業者が電柱上に設けられた足場板４５に乗り使用する。作業者Ｍは落下防止のための胴網４６を使用している。そして、作業者Ｍは、ボルト回し操作具Ｔ１の先端部のボックススパナ４９を、電柱に電線を固定するボルト４８の頭部を嵌め込み、把持部４７を片手で持ち。もう片方の手でハンドル４を回すことによって、作業者Ｍから上方へ離れた箇所にあるボルト４８を締付けることができる。
【０００３】
また、停電をさせない活線状態での電気工事に使用される絶縁操作棒が知られている（特許文献２参照）。その絶縁操作棒は、ＦＲＰ樹脂製で中空形状の棒体と、この棒体の元側に設けてありこれを境界部にして前記棒体の元部に握り部を形成する鍔体と、前記棒体の先端部に設けてある先端具と前記鍔体との間に設けてある所要数の断水部と、前記棒体の中空部の両端部に水密に装着してある閉塞具と、を備え、前記断水部は、前記握り部側へ向けて拡開した傘体を有する傘部材と、先端部側が前記傘体の拡開部に隠れるように設けてあるフッ素系樹脂製の撥水チューブとを備え、前記撥水チューブは前記棒体に防水性接着剤により接着していることを特徴とするものである。
【０００４】
【特許文献１】特許第３１６８４６０号（［００３１］、図１〜図４）
【特許文献２】実公平７−２２９７３号公報（［請求項１］、図1、図３）
【発明の開示】
【発明が解決しようとする課題】
【０００５】
しかしながら、前記した間接操作棒は、心棒の駆動軸が中実材を使用しているため、重く、電柱上に設けられた足場板に乗り作業するには、重労働になるという問題があった。
また、前記した絶縁操作棒は、絶縁用保護用具などの規格（労働省告示第１４４号）に基づく仕様が求められているにもかかわらず、浸水防止対策が完全に満足するものではなく、雨天時にこの絶縁操作棒内部に雨水が浸入して部材の絶縁性を損なう恐れがあった。
【０００６】
そこで、本発明は前記問題点を解決するために創案されたもので、強度を落とすことなく操作棒の軽量化を図り、さらに、雨天時でも作業者が安全で作業がしやすく、感電の心配もない全天候型操作棒を提供することを課題とする。
【課題を解決するための手段】
【０００７】
請求項１に記載の発明は、着脱自在に連結される工具ユニット（３０）に対して回転力を伝達し、架空電線の工事作業を行う全天候型操作棒（１０）であって、基体となる固定パイプ（１）と、この固定パイプ（１）に回転自在に貫挿された操作パイプ（２）と、この操作パイプ（２）の下端部に挿入され、一体として回転するように固定されたシャフト（３）と、このシャフト（３）に固定され前記シャフト（３）を回転させるハンドル（４）と、前記固定パイプ（１）と前記操作パイプ（２）との摺動部に配設され、前記操作パイプ（２）の上端部を支持する上部エンドカバー（５）と、前記操作パイプ（２）の下端部を支持する下部エンドカバー（８）と、
前記上部エンドカバー（５）と前記操作パイプ（２）とを一体として回転するように連結する連結部材と、前記上部エンドカバー（５）の上部に固定され、前記工具ユニット（３０）に回転力を伝達するジョイント（６）と、を備えたことを特徴とする。
【０００８】
請求項２に記載の発明は、請求項１に記載の全天候型操作棒（１０）であって、前記上部エンドカバー（５）は、有底の円筒形状に形成されたスリーブ部（５ａ）と、このスリーブ部（５ａ）の上部に形成されたボス部（５ｂ）と、を有し、前記スリーブ部（５ａ）を前記操作パイプ（２）の上端外周面を覆うように装着して前記摺動部を構成し、
前記連結部材は、前記操作パイプ（２）の上端開口部に内挿された詰栓（２０）と、この詰栓（２０）を貫通し前記操作パイプ（２）と前記スリーブ部（５ａ）とを結合する第２固定ピン（１２）とを備えたことを特徴とする。
【０００９】
請求項３に記載の発明は、請求項１または請求項２に記載の全天候型操作棒（１０）であって、前記上部および下部エンドカバー（５，８）における前記固定パイプ（１）または前記操作パイプ（２）との摺動部には、浸水を防止するオイルシール（１７，１７）を設けたことを特徴とする。
【００１０】
請求項４に記載の発明は、請求項１から請求項３のいずれか１項に記載の全天候型操作棒（１０）であって、前記操作パイプ（２）の上端部および下端部の開口部には、浸水を防止する密封部材（１９）が配設されていることを特徴とする。
【００１１】
請求項５に記載の発明は、請求項１から請求項４のいずれか１項に記載の全天候型操作棒（１０）であって、前記固定パイプ（１）および前記操作パイプ（２）は、絶縁部材で構成したことを特徴とする。
【発明の効果】
【００１２】
請求項１に係る発明によれば、基体となる固定パイプと、この固定パイプに回転自在に貫挿された操作パイプと、この操作パイプの下端部に挿入され、一体として回転するように固定されたシャフトと、このシャフトに固定され前記シャフトを回転させるハンドルと、前記固定パイプと前記操作パイプとの摺動部に配設され、前記操作パイプの上端部を支持する上部エンドカバーと、前記操作パイプの下端部を支持する下部エンドカバーと、上部エンドカバーと操作パイプとを一体として回転するように連結する連結部材と、上部エンドカバーの上部に固定され、工具ユニットに回転力を伝達するジョイントと、を備えたことにより、固定パイプと操作パイプとの２層構造が実現でき、強度を落とすことなく操作棒の軽量化を図ることができる。また、ハンドルの回転は、操作パイプと、エンドカバーと、ジョイントの最短経路によって伝達されるので、効率的に回転を伝えることができることから、作業の効率化を図ることができる。
【００１３】
請求項２に記載の発明は、上部エンドカバーが有底の円筒形状に形成されたスリーブ部と、このスリーブ部の上部に形成されたボス部とを有し、スリーブ部を前記操作パイプの上端外周面を覆うように装着して前記摺動部を構成し、前記連結部材は、前記操作パイプの上端開口部に内挿された詰栓と、この詰栓を貫通し前記操作パイプと前記スリーブ部とを結合する第２固定ピンとを備えたことにより、前記操作パイプの上端外周にスリーブ部を嵌合して固定されたエンドカバーと、前記エンドカバーと前記連結部材を連結するピンと、を備えたことにより、スリーブ部と連結部材の作用により、スムーズな回転ができる。また、ハンドルの回転は、エンドカバーとピンによって連結される連結部材に円滑に伝達することができる。
【００１４】
請求項３に係る発明によれば、上部および下部エンドカバーにおける固定パイプまたは前記操作パイプとの摺動部には、浸水を防止するオイルシールを設けたことにより、操作パイプの上端部からの雨水の浸入を防止することができる。
【００１５】
請求項４に係る発明によれば、操作パイプの上端部および下端部の開口部には、浸水を防止する密封部材が配設されたことにより、さらに、浸水を防止することができると共に、パイプ形状の操作パイプの変形を防止することができる。
【００１６】
請求項５に係る発明によれば、固定パイプおよび操作パイプは、絶縁部材で構成したことにより、雨天時でも安全で感電の心配もなく作業ができる。
【発明を実施するための最良の形態】
【００１７】
本発明の全天候型操作棒を実施するための最良の形態について説明する。
以下、「全天候型操作棒」は、単に「操作棒」と略し、ボックススパナ用の工具ユニットを例にとって、操作棒の説明を行う。
図１は操作棒の構造を示す縦断面図である。図２は図１に示すＡ部拡大断面図、図３は図１に示すＢ部拡大断面図である。
以下、操作棒１０の構成について、詳細に説明する。
電気工事で使用されるこの操作棒１０は、図６に示すように、垂直に立てた状態で使用されることが多い。そこで、図１の右側を下端部、左側を上端部として説明する。
【００１８】
図１に示すように、操作棒１０の具体的な一例を示せば、全長１５００ｍｍ、固定パイプ１の外径φ３２ｍｍであり、固定パイプ１と操作パイプ２からなる２層構造の防水処理、絶縁材料で構成した操作棒１０である。
【００１９】
固定パイプ１は、図１〜３に示すように、操作棒１０の本体を構成している。操作パイプ２は、固定パイプ１に貫挿されて、固定パイプ１の中空部に回転自在に支持されている。固定パイプ１と操作パイプ２の材料は、ＦＷ法で成形したプラスチックスパイプで、軽くて強い。この操作パイプ２の上端部は、図３に示すように、上部エンドカバー５のスリーブ部５ａによって、これが軸受けとなって回転自在に支持されている。下端部は、図２に示すように、下部エンドカバー８のスリーブ部８ａによって回転自在に支持されている。また、固定パイプ１と操作パイプ２の間には、スペーサとして、硬質塩化ビニール製のカラー１５（図１参照）を嵌挿している
なお、ＦＷ法とはＦｉｌａｍｅｎｔ Ｗｉｎｄｉｎｇの略称で、円筒形のジグにガラス繊維またはカーボン繊維を巻き付けて、その後熱硬化性樹脂を含浸してパイプに加工法である。
【００２０】
グリップ７は、図２に示すように、操作パイプ２の下端部の外周に遊嵌して設けられている。このグリップ７は手で持つ部品であり、材料はＰＶＣ（塩化ビ二―ル）である。
シャフト３は、図２に示すように、操作パイプ２の下端部に嵌入され一体化した角部（３ａ）を備え、角部３ａは六角棒状に形成され、この角部３ａに着脱自在に嵌合する角穴を備えたハンドル４が取り付けられ、第１固定ピン１１のスプリング作用によって一体に固定されている。
ハンドル４は、脱落防止ため、蝶ボルト４ａが装着されており、この蝶ボルト４ａを締めると、シャフト３の角部３ａに固定される。
【００２１】
ジョイント６は、図３に示すように、操作パイプ２の先端部に、連結部材を介して後記する工具ユニット３０に回転を伝えるために固定されている。
この連結部材は、操作パイプ２の上端外周にスリーブ部を嵌合して固定された上部エンドカバー５と、操作パイプ２と操作パイプ２に嵌合した詰栓２０および操作パイプ２、上部エンドカバー５と詰栓２０を一体的に連結する第３固定ピン１３とから構成されている。また、上部エンドカバー５は、外周の中央部近傍にフランジ部５ｃが形成され、固定パイプ１と一体のガイド９の内径に設けられた突出部とこのフランジ部５ｃとの間にはワッシャ１６が挿着されており、このワッシャ１６がスラストベアリングの機能を果たしている。
したがって、上部エンドカバー５は、図３に示すように、操作パイプ２の上端部を覆い、上方から流れる雨水は、操作パイプ２の中には浸入できない。
【００２２】
さらに、詰栓２０は、防水の他、補強部材も兼ねており、第２固定ピンの組立時、操作パイプ２が変形しないように操作パイプ２を内側から補強している。
上端部側のゴム栓１９は、詰栓２０の奥に嵌入されている密封部材である。このゴム栓１９は、図２に示すように、操作パイプ２の下端部にも嵌入されている。
ジョイント６は、上部エンドカバー５のボス部５ｂに、穴部６ｂが装着され、さらに、第３固定ピン１３のスプリングピンによって一体に固定されている。ジョイント６の角穴６ａのソケットは、各種の工具ユニット３０に接続する際に使用する。
【００２３】
ガイド９は、図３に示すように、工具ユニット３０の接続部材３１ａに接続するガイド部品である。上部エンドカバー５のフランジ部５ｃの下部には、ワッシャ１６を挿着され、前記した固定パイプ１の上端面によって挟持している。
また、ガイド９の内周側には、突起部９ａが円周上に４箇所設けられている。この突起部９ａは工具ユニット３０に形成されたＵ字溝３１ｂと嵌合し、工具ユニット３０側のナット３８が、ガイド９のねじ部９ｂと螺合して、工具ユニット３０と操作棒１０を一体化して固定する。
さらに、固定パイプ１の下部には、オイルシール１７を下部エンドカバー８で包むように固定し、水の浸入を防止している。
【００２４】
この下部エンドカバー８は、図２に示すように、固定パイプ１と操作パイプ２の間に設けられ、カバーの機能と、オイルシール１７を保持する機能を果たしている。
また、下部エンドカバー８の材質は、潤滑性を兼ね備え、材料は、ポリカーボネート(ＰＣ)、ポリアミド(Ｎｙ)、ポリアセタール(ＰＯＭ)、ポリブチレンテレフタレート(ＰＢＴ)、変性ポリフェニレンエーテル(Ｍ-ＰＰＥ)などの五大エンプラをはじめとして、いわゆる、スーパーエンプラと呼ばれるポリエーテルエーテルケトン(ＰＥＥＫ)やポリフェニレンサルファイド(ＰＰＳ)などの高性能特殊エンプラ、そしてテフロン（登録商標）で代表されるようなフッソ系の樹脂、超高分子量高密度ポリエチレン(ＵＨＭＷ−ＨＤＰＥ)などが利用できる。
【００２５】
傘部材１８は、図１に示すように、固定パイプ１の外周に嵌着されている。工具ユニット３０と接続された操作棒１０の使用時は、上向きに支持し、ハンドル４を下向きにして垂直な姿勢で、使用される。そのため、雨水は工具ユニット３０から固定パイプ１を伝わり、傘部材１８に到達すると、傘部材１８の傘のテーパ形状の作用によって回りに飛散する。この傘部材１８は、２個配置されており、直接、雨水がグリップ７に流れてくることを防止している。
【００２６】
防水カバー２１は、図１に示すように、前記ガイド９と固定パイプ１の上端部の外周に装着されている。材質はＥＰＤＭ（以下、エチレン・プロピレンゴムという）であり、絶縁材料である。防水カバー２１ａは、固定パイプ１の中央部に設けた２個の傘部材１８の間の外周に装着され、材質はフッ素樹脂製熱収縮性チューブである。防水カバー２１ｂは、固定パイプ１の下端部の外周に装着され、同じく材質はＥＰＤＭである。
【００２７】
これらを整理すると、この操作棒１０は、大きく分けて、工具ユニット３０に回転を伝える回転部材と、工具ユニット３０と接続するガイド部材と、防水部材、および、感電防止部材の４つに大別される。
回転部材は、固定パイプ１の中空部に挿入された操作パイプ２と、操作パイプ２の下端部に固定したシャフト３と、シャフト３の角部３ａに装着し、この操作パイプ２を回転するハンドル４と、操作パイプ２の上端部に装着した上部エンドカバー５と、この上部  エンドカバー５に固定したジョイント６から構成されている。
【００２８】
ガイド部材は、固定パイプ１の上端部にガイド９が固定され、工具ユニット３０に接続するためのねじ部９ｂを外周に設け、また、接続用兼廻り止め用の４個の突起部９ａを備えている。
【００２９】
つぎに、防水部材は、固定パイプ１と操作パイプ２の両端側の間にそれぞれ設けたオイルシール１７，１７と、操作パイプ２の上端部を覆った上部エンドカバー５と、操作パイプ２の両端部に弾性力のある密封部材としてゴム栓１９を嵌合し、さらに、操作パイプ２の上端部の内周面に防水機能も備えた詰栓２０を嵌入した防水構造として雨水の浸入を防止している。
【００３０】
固定パイプ１には、雨水を分断するための傘部材１８を２個設けている。このため、２段階で雨水の連続した流れを分断するため、電線から電流が雨水を伝って流れても、電流の経路を遮断し、雨水の漏洩による感電の危険を防止することができる。
さらに、傘部材１８はフッ素樹脂製のため、絶縁部材で撥水作用があるため、雨水の連続した流れを分断し、グリップ７の手にかからないようにしている。
【００３１】
さらに、図２に示すように、操作パイプ２内は、オイルシール１７と、詰栓２０と、ゴム栓１９、１９で密封しているので、外部から水の浸入がなく、雨水が伝導体として作用することがない。したがって、より安全な作業が可能となる。密封部材は雨水の浸入を防止するゴム製、フッ素ゴム、フッ素樹脂等の弾性力のある高分子化合物等の防水効果のある材質のものが好ましい。
【００３２】
図４は、全天候型操作棒の絶縁材料を示す断面図である。図４に示すように、上段に示す符号は感電防止部材である絶縁材料、下段に示す符号は従来の材料の部品を示している。また、絶縁材料は、ハッチングを密にして一目で判るようにしている。下端部と上端部を除く中間部の部品はすべて絶縁材料で構成されている。操作棒１０の絶縁材料で形成した主要部品を挙げると、固定パイプ１、操作パイプ２の他に、グリップ７、下部エンドカバー８、オイルシール１７，１７、傘部材１８，１８、ゴム栓１９，１９、詰栓２０、防水カバー２１、２１a，２１ｂ、カラー１５、ワッシャ１６となる。
伝導体の非絶縁材料から形成されたパーツは、下端部では、シャフト３、ハンドル４のみであり、上端部では、上部エンドカバー５、ジョイント６、ガイド９のみとなっている。その結果、下端部に、たとえ、電流が流れるようなことがあっても、その下の部品がすべて絶縁部材であることから、完全に遮断されるようになっている。つまり、中間部を構成する固定パイプ１、操作パイプ２等の１１点すべての部品を絶縁材料で形成したことにより、上端部から下端部へ流れる恐れのある電流は、遮断される。
【００３３】
図５は、工具ユニットと操作棒との接続を説明する説明図である。
図５に示すように、工具ユニット３０は、操作棒１０と一体となって作業を行う工具であり、各種の工具ユニットが用意されている。ここでは、ボルト固定用の工具ユニット３０で説明する。
工具ユニット３０の接続方法は、工具ユニット３０の下端部に接続部材３１ａが円筒形に突出して設けられている。接続部材３１ａのＵ字溝３１ｂと、操作棒１０の上端部の内側に突起させた突起部９ａを位置合わせ、六角棒状のボス部３２ａを六角穴のジョイント６の角穴６ａに挿入し、さらに、ナット３８のネジとガイド９のねじ部９ｂが螺合して固定される。
【００３４】
工具ユニット３０の構成は、本体であるケーシング３１を貫通して軸支された第１シャフト３２をケーシング３１に回転自在に支持し、第１シャフト３２の入力側にジョイント６と嵌合するボス部３２ａが設けられている。また、第１シャフト３２に直交した位置には、第２シャフト３５が回転自在に片持支持で設けられている。
この第１シャフト３２と第２シャフト３５には、それぞれ一対の傘歯車３３，３３を噛合させ、止めネジ３４で固定されているので、第１シャフト３２と第２シャフト３５は連動して回転する。
第１シャフト３２と第２シャフト３５の先端にはボールノッチ３９を設け、ボックススパナ３７，３７を着脱自在に取り付けている。
【００３５】
したがって、操作棒１０側の回転は、ジョイント６をハンドル４で回転することにより、ジョイント６からボス部３２ａを経て、第１シャフト３２と第２シャフト３５にそれぞれ同時に垂直方向と水平方向に回転が伝えられ、第１シャフト３２と第２シャフト３５の先端に填め込まれたボックススパナ３７を回転させて作業を行うことができる。
【００３６】
ここで、操作棒１０の動作について説明する。
図５に示すように、ボックススパナ３７を挿着し、電柱の電線を固定しているボルトの頭に差し込み、その状態を維持しながら、図１に示すように、ハンドル４を回すと、シャフト３が、第１固定ピン１１（図２参照）を経て操作パイプ２を回転し、図３に示すように、第２固定ピン１２により一体となった上部エンドカバー５と、第３固定ピン１３により一体になったジョイント６が回転する。
さらに、ジョイント６の回転は、ボス部３２ａから第１シャフト３２と一体の傘歯車３３を回転させると共に、もう１つの傘歯車３３と第２シャフト３５を回転させて、先端に嵌め込まれたボックススパナ３７を回転させる。
その結果、架空電線の配線工事等を間接活線作業にて、工具ユニット３０のボックススパナ３７が左右に回転し、ボルトの締め、緩めの作業を行うことができる。
【００３７】
以上述べたように、固定パイプ１と操作パイプ２はガラス繊維またはカーボン繊維に熱硬化性樹脂を含浸したＦＷ法で製作したので、絶縁性と共に軽量化を図ることができる。
部エンドカバーは絶縁性の高分子材料を使用したので絶縁性と共に軽量化を図り、雨天時でも作業者が安全な作業を行うことができる。
【００３８】
なお、本発明はこの技術思想の範囲内で種々の改造、変更が可能である。シール部材は、オイルシール以外にも、Ｏリングなど利用してもよいし、それ以外であっても構わない。
さらに、工具ユニット３０は、ボックススパナを一例で説明したが、例えば、電線の皮剥ぎと磨きの場合は、電線皮剥ぎ磨き器用、電線の切断の場合は、切断用等の各種工具ユニットに接続される。
【図面の簡単な説明】
【００３９】
【図１】本発明の全天候型操作棒を示す縦断面図である。
【図２】図１に示すＡ部拡大断面図である。
【図３】図１に示すＢ部拡大断面図である。
【図４】本発明の全天候型操作棒の絶縁材料を示す断面図である。
【図５】工具ユニットと操作棒との接続を説明する説明図である。
【図６】従来の間接操作棒の使用状況を示す説明図である。
【符号の説明】
【００４０】
１      固定パイプ
２      操作パイプ
３      シャフト
３ａ    角部
４      ハンドル
４ａ    蝶ボルト
５      上部エンドカバー
５ａ    スリーブ部（上部）
５ｂ    ボス部
５ｃ    フランジ部
６      ジョイント
６ａ    角穴
６ｂ    穴部
７      グリップ
８      下部エンドカバー
８ａ    スリーブ部（下部）
９      ガイド
９ａ    突起部
１０    操作棒
１１    第１固定ピン
１２    第２固定ピン
１３    第３固定ピン
１５    カラー
１６    ワッシャ
１７    シール部材（オイルシール）
１８    傘部材
１９    密封部材（ゴム栓）
２０    詰栓
２１    防水カバー
【図１】
2008253059.tif 000003
【図２】
2008253059.tif 000004
【図３】
2008253059.tif 000005
【図４】
2008253059.tif 000006
【図５】
2008253059.tif 000007
【図６】
2008253059.tif 000008